(57)【要約】【課題】  本発明は、スクラッチシールに関するものであり、キャンペーンなどで用いられているシリアルナンバー入りの二つ折りシールを、第三者が容易に知ることができないようにするため、スクラッチ層を設けることで不正使用防止及び不正使用の痕跡を残すことが可能なスクラッチシールを提供する。【解決手段】  本発明は、第一の基材１１の基材面の所定領域に、所定のパターンを印刷したインキ層１３を設け、該インキ層１３の上に該インキ層１３を覆い隠すスクラッチ層１４を設け、該スクラッチ層１４を設けた第一の基材１１の基材面に対向する第二の基材１２を剥離可能な接着層１５を介して接着したことにより、上記課題を解決した。【選択図】  図１
2014030997.tif 000002
【特許請求の範囲】
【請求項１】
第一の基材の基材面の所定領域に、所定のパターンを印刷したインキ層を設け、該インキ層の上に該インキ層を覆い隠すスクラッチ層を設け、該スクラッチ層を設けた第一の基材の基材面に対向する第二の基材を剥離可能な接着層を介して接着したことを特徴とするスクラッチシール。
【請求項２】
前記スクラッチ層の上に、擬似接着層が形成されていることを特徴とする請求項１に記載のスクラッチシール。
【請求項３】
前記スクラッチ層又は擬似接着層と接する領域を除く領域に前記接着層が形成されていることを特徴とする請求項１又は２に記載のスクラッチシール。
【請求項４】
前記インキ層が形成される領域を除く領域に前記接着層が形成されていることを特徴とする請求項１又は２に記載のスクラッチシール。
【請求項５】
前記第一の基材と前記第二の基材は、折り線を介して連接する一体の基材から構成され、前記折り線で二つ折りされてなることを特徴とする請求項１乃至４何れか一項に記載のスクラッチシール。
【請求項６】
前記第一の基材に接する前記インキ層とは反対側の面に接着層が形成され、前記接着層の上に剥離紙が形成されていることを特徴とする請求項１乃至５何れか一項に記載のスクラッチシール。
【発明の詳細な説明】
【技術分野】
【０００１】
本発明は、スクラッチシールに関し、更に詳しくは、コインや爪等により引っ掻く（スクラッチ）ことにより表面に形成された隠蔽層が削り取られ、下面に形成された所定パターンを印刷したインキ層が視認可能となるシール状物の間に形成されたスクラッチシールに関するものである。
【背景技術】
【０００２】
従来よりキャンペーンで飲料用包装容器などに貼ってあるシリアルナンバーに代表される記載文入りの二つ折りシールがある。
そのシールは剥離可能なシールであり、かつ、再接着できるため、第三者がそのシリアルナンバーを入手した後、再接着することができる。
また、カード基材の上に設けられた秘密情報を隠蔽し、スクラッチ可能なスクラッチ層の面に、少なくともホログラム層と透明反射層を有する転写層を転写するスクラッチカードの製造方法が提案されている。（特許文献１参照）。
【先行技術文献】
【特許文献】
【０００３】
【特許文献１】特開２００８−１３７３０７号公報
【発明の概要】
【発明が解決しようとする課題】
【０００４】
例えば、キャンペーン等で飲料用包装容器に貼付してあるシリアルナンバーを記載した二つ折りシールにおいては、剥離可能であり、かつ再接着することが出来るので、第三者がシリアルナンバーを入手した後、再接着することが可能であるため不正使用されるという課題がある。
一方、特許文献１に見られるような、スクラッチ印刷によるものにおいては、ホログラム層の存在により不正使用の防止は図れるが、流通過程の条件が悪い場合は、スクラッチ印刷部分に傷が付いてしまう可能性が残るという課題がある。
【課題を解決するための手段】
【０００５】
そこで、本発明に係わるスクラッチシールは、以下の各態様により上記課題を解決した。
【０００６】
本発明にかかわる第１の態様は、第一の基材（１１）の基材面の所定領域に、所定のパターンを印刷したインキ層（１３）を設け、該インキ層（１３）の上に該インキ層（１３）を覆い隠すスクラッチ層（１４）を設け、該スクラッチ層（１４）を設けた第一の基材（１１）の基材面に対向する第二の基材（１２）を剥離可能な接着層（１５）を介して接着したことを特徴とするスクラッチシール（１０）である。
【０００７】
本発明にかかる第２の態様は、前記第１の態様において、スクラッチ層（１４）の上に、擬似接着層（１６）が形成されていることを特徴とするスクラッチシール（１０）である。
【０００８】
本発明にかかる第３の態様は、前記第１又は第２の態様において、スクラッチ層（１４）又は擬似接着層（１６）と接する領域を除く領域に接着層（１５）が形成されていることを特徴とするスクラッチシール（１０）である。
【０００９】
本発明にかかる第４の態様は、前記第１又は第２の態様において、インキ層（１３）が形成される領域を除く領域に接着層（１５）が形成されていることを特徴とするスクラッチシール（１０）である。
【００１０】
本発明にかかる第５の態様は、前記第１ないし第４の態様において、第一の基材（１１）と第二の基材（１２）は、折り線Ｘを介して連接する一体の基材から構成され、折り線Ｘで二つ折りされてなることを特徴とするスクラッチシール（１０）である。
【００１１】
本発明にかかる第６の態様は、前記第１ないし第５の何れかの態様において、第一の基材（１１）に接するインキ層（１３）とは反対側の面に接着層（１７）が形成され、接着層（１７）の上に剥離紙（１８）が形成されていることを特徴とするスクラッチシール（１０）である。
【発明の効果】
【００１２】
対向する基材間に形成された剥離可能な接着層に挟まれるようにスクラッチ層（１４）を設けることにより、前記基材を剥離することで、スクラッチ層（１４）が初めて表出し、スクラッチ層（１４）を削ることにより当たり外れを示す文字、図柄、あるいは個人情報やシリアルナンバー等の可変情報を入手することができるので、不正使用が防止できるという効果がある。
【００１３】
さらに、第三者が前記基材を剥離し、スクラッチ層（１４）を削り取った場合、その痕跡を残すという効果もある。
【００１４】
さらに、スクラッチ層（１４）を剥離可能な接着層（１５）を対向する前記基材間に形成することにより、基材を剥離した後に、再度スクラッチするという二重の遊戯性を有しているという効果もある。
【００１５】
さらに、折り線Ｘを介して連接する一体の基材から構成されているため、接着剤を一度に形成することができ、さらには折り線Ｘがあるため位置合わせが容易になり、製造がしやすくなるという効果がある。
【図面の簡単な説明】
【００１６】
【図１】本発明にかかるスクラッチシールの一形態を示す概略断面図である。
【図２】本発明にかかるスクラッチシールの別の形態を示す概略断面図である。
【図３】本発明にかかるスクラッチシールの別の形態を示す概略断面図である。
【図４】本発明にかかるスクラッチシールを見開いた状態を示す概略平面図である。
【図５】本発明にかかるスクラッチシールの別の形態を示す概略断面図である。
【図６】本発明にかかるスクラッチシールの別の形態を示す概略断面図である。
【発明を実施するための形態】
【００１７】
次に、本発明の実施の形態について、詳述する。
図１は、本発明にかかるスクラッチシールの一形態を示す概略断面図である。図１において、１０はスクラッチシール、１１は第一の基材、１２は第二の基材、１３はインキ層
、１４はスクラッチ層、１５は接着層を示している。スクラッチシール１０は、図１に示すように、第一の基材１１の所定領域に、オフセット印刷あるいはプリンター等で所定パターンを印刷したインキ層１３が形成され、さらにインキ層１３を隠蔽するようにスクラッチ層１４が形成されている。
上記所定領域とは、スクラッチ層１４が第一の基材１１と第二の基材１２で挟まれた領域のことを示しており、好ましくは、シール状物のほぼ中央に位置した領域のことである。
また、上記所定パターンとは、当り外れを示す文字、図柄、あるいは個人情報やシリアルナンバー等の可変情報のことを示している。
【００１８】
図２は、本発明にかかるスクラッチシール１０の別の形態を示す概略断面図である。図２において、Ｘは折り線を示している。スクラッチシール１０は、図２に示すように、第一の基材１１の所定の領域に、インキ層１３が形成されており、インキ層１３を隠蔽するようにスクラッチ層１４が形成されており、さらに、接着層１５およびスクラッチ層１４上に第二の基材１２が形成されている。第一の基材１１と第二の基材１２は、折り線Ｘを介して連接する一体の基材から構成されており、折り線Ｘで二つ折りされてシール状物をなしている。
第一の基材１１および第二の基材１２は、通常は当たり外れを示す文字、図柄、あるいは個人情報やシリアルナンバー等の可変情報が可視化しないように不透明性を有しているが、両方が透明性を有しているものでも良く、折り線Ｘを介してどちらか一方だけが透明性を有しているものでも良い。
【００１９】
図３は、本発明にかかるスクラッチシール１０の別の形態を示す概略断面図である。図３において、１６は擬似接着層を示している。スクラッチシール１０は、図３に示すように、第一の基材１１の所定領域にインキ層１３が形成されており、インキ層１３を隠蔽するようにスクラッチ層１４が形成されており、スクラッチ層１４上に擬似接着層１６が形成されている。さらに擬似接着層１６および接着層１５を介して第二の基材１２が形成されている。第一の基材１１と第二の基材１２は、折り線Ｘを介して連接する一体の基材から構成されており、折り線Ｘで二つ折りされている。
【００２０】
図４は、本発明にかかる図３に示した形態のスクラッチシール１０を見開いた状態を示す概略平面図である。スクラッチシール１０は、折り線Ｘを介して連接する第一の基材１１と第二の基材１２が、一体の基材で形成した場合の例を示している。第一の基材１１上には接着層１５を含むスクラッチ層１４から形成されており、第二の基材１２上には接着層１５を含む擬似接着層１６が形成されている。
【００２１】
図５は、本発明にかかるスクラッチシール１０の別の形態を示す概略断面図である。図５において、１７は接着層、１８は剥離紙を示している。スクラッチシール１０の剥離紙１８を剥がして、紙器、包装容器等の対象物に接着層１７を貼着して使用することが出来る。
【００２２】
図６は、本発明にかかるスクラッチシール１０の別の形態を示す概略断面図である。図５と同様にしてスクラッチシール１０を使用することが出来る。
【００２３】
以下、本発明のスクラッチシール１０を構成する各層について、詳細に説明する。
（基材）  
本発明のスクラッチシール１０における第一の基材１１または、第二の基材１２について、基材の材料は特に限定されず、例えば、グラシン紙、合成紙（ポリオレフィン系、ポリスチレン系、ポリエステル系等）、上質紙、中質紙、アート紙、コート紙、キャストコート紙、ポリエステル、ポリアクリレート、ポリカーボネート、ポリウレタン、セルロース誘導体、ポリエチレン、エチレンー酢酸ビニル共重合体、ポリプロピレン、ポリスチレン、アクリル、ポリ塩化ビニル等の各種プラスチックフィルム又はシートが使用できる。
プラスチックフィルムは、無軸延伸フィルム、一軸もしくは二軸延伸フィルムの何れであっても良いが、延伸フィルム、特に二軸延伸フィルムを用いる場合が多い。
基材の厚さは、通常、１０μｍ〜５００μｍ程度が使用できる。
基材がプラスチックフィルム又はシートの場合、印刷面にコロナ放電処理、プラズマ処理、オゾン処理、フレーム処理、酸処理、プライマー処理等を行うことが密着性を高める上で好ましい。
【００２４】
（インキ層）
本発明のインキ層１３は、第一の基材１１の上面に印刷される層である。
本発明において、インキ層１３は、基材と接する部分において、強固に密着して接着する接着性を有することが好ましいものである。
インキ層１３の材料としては、例えば、グラビアインキ組成物、オフセットインキ組成物、凸版インキ組成物、シルクスクリーンインキ組成物、その他のインキ組成物を使用し、これを、グラビア印刷方式、オフセット印刷方式、凸版印刷方式、シルクスクリーン印刷方式、転写印刷方式、その他の印刷方式により例えば、当たり外れを示す文字、図柄、あるいは個人情報やシリアルナンバー等の可変情報を印刷することができる。
なお、インキ層１３の厚さは、０．１μｍ〜１０μｍ程度である。
また、インキ層１３は、インクジェットプリンター、熱転写プリンターを用いて、当たり外れを示す文字、図柄、あるいは個人情報やシリアルナンバー等の可変情報を印字形成される。
【００２５】
（スクラッチ層）
本発明のスクラッチ層１４は、インキ層１３の上に印刷される層である。
スクラッチ層１４は、コインや爪等で引っ掻くことにより剥離可能な材料であれば、どのような材料を用いても良い。
【００２６】
スクラッチ層１４は、インキ層１３を隠蔽し、かつ、コインや爪等で擦る等により、比較的容易に削り取ることができる性質を備えた層であり、具体的には、隠蔽性の高い顔料が、比較的多量にバインダ樹脂中に分散したものであって、必要に応じて、着色の目的で、染料もしくは通常の顔料が配合されてあっても良い。
【００２７】
スクラッチ層１４を構成する隠蔽性の高い顔料としては、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。
【００２８】
また、スクラッチ層１４を構成するバインダ樹脂としては、上記の隠蔽性の高い顔料を保持し、基材との接着性の良好なものを選択して用い、例えば、天然ゴム、もしくは塩酸ゴム等のゴム系天然樹脂、ポリブタジエン、スチレンーブタジエン共重合体、アクリロニトリルーブタジエン共重合体、ポリイソプレン、ポリクロロプレン、アクリル、塩化ビニル、もしくは塩化ビニルー酢酸ビニル共重合体等を使用する。
【００２９】
スクラッチ層１４がインキ層１３を隠蔽するには、上記した隠蔽性の高い顔料、バインダ樹脂、および溶剤等を用いて混合、分散して、スクラッチ層形成用インキ組成物ないし塗料組成物としたものを用い、公知の印刷方法もしくは塗布方法により印刷もしくは塗布する。
【００３０】
スクラッチ層１４の厚みとしては、３μｍ〜１０μｍであることが好ましい。
【００３１】
（接着層）
接着層１５に用いられる接着剤としては、再剥離可能な接着剤、あるいは再剥離再接着可能な接着剤であれば良く、一般的には、熱可塑性樹脂、天然樹脂、ゴム、ワックスなどを用いることができる。例えば、エチルセルロース、酢酸セルロース、酪酸セルロースなどのセルロース誘導体、ポリスチレン、ポリαメチルスチレンを含むスチレン共重合体、ポリメチルメタクリレート、ポリエチルメタクリレート、ポリエチルアクリレートなどのアクリル系樹脂、ポリ塩化ビニル、ポリ酢酸ビニル、塩化ビニルー酢酸ビニル共重合体、ポリビニルブチラールなどのビニル系樹脂、ポリエステル樹脂、ナイロン樹脂、エポキシ樹脂、ポリウレタン系樹脂、アイオノマー、エチレンーアクリル酸共重合体、エチレンアクリル酸エステルなどの合成樹脂や接着付与剤としてのロジン、ロジン変性マレイン酸樹脂、エステルゴム、ポリイソブチレンゴム、ブチルゴム、スチレンブタジエンゴム、ブタジエンアクリルニトリルゴム、ポリアミド樹脂、ポリ塩素化オレフィンなどがあげられ、前記の材料の１種または２種以上よりなる組成物から構成することができる。
【００３２】
（擬似接着層）
擬似接着とは、一見、正常に接着しているように見えるが、実は「一応接着している状態」のことを言う。擬似接着層を設ける理由としては、前記接着層が、過酷な環境下あるいは、移送等の物理的作用により剥がれないようにするため、第一の基材１１と第二の基材１２を強固または中程度に接着させることで、スクラッチ層が第二の基材を剥離した時点で剥がれてしまうことがないようにするための保護層としての役割を有していることによる。擬似接着層１６に用いられる擬似接着剤としては、例えば天然ゴム、合成ゴム等のゴム系接着剤：アクリル酸またはアクリル酸エステルを主なモノマー成分として含有するアクリル系接着剤：酢酸ビニル重合体、エチレンー酢酸ビニル共重合体（ＥＶＡ）等の酢酸ビニルを主なモノマー成分として含有する酢酸ビニル系接着剤：澱粉、アルギン酸ナトリウム等の多糖系接着剤やデキストリン系接着剤等の水溶性接着剤などが使用できる。
【００３３】
これらの中では、ゴム系、アクリル系、酢酸ビニル系、デキストリン系の接着剤が、接着性を任意に幅広くコントロールできるため好ましく、接着強度等を考慮して適宜選択できる。
【００３４】
（接着層）
接着層１７としては、従来公知の溶剤系及び水系の接着剤、例えば、酢酸ビニル樹脂、アクリル樹脂、酢酸ビニルーアクリル共重合体、酢酸ビニルー塩化ビニル共重合体、エチレンー酢酸ビニル共重合体、ポリウレタン樹脂や、天然ゴム、クロロプレンゴムなどのゴム系樹脂などが挙げられる。環境に配慮して、天然ゴムを主成分とするラテックス、それを変性したもの、特に天然ゴムにメタクリル酸メチルとをグラフト重合させた天然ゴムラテックス等の天然素材から合成されたものを用いても良い。
接着層１７に用いられる溶剤としては、アセトン、メチルエチルケトン、メチルイソブチルケトン、ジイソブチルケトン等のケトン類、メタノール、エタノール、イソプロピルアルコール、n―ブチルアルコール等のアルコール類、ベンゼン、トルエン、キシレン等の芳香族類、シクロヘキサン等の環状炭化水素類、酢酸エチル、酢酸ブチル、酢酸イソブチル等のエステル類、テトラヒドロフラン、メチルセロソルブ、エチルセロソルブ、ブチルセロソルブ等のエーテル類を用いることができる。
【００３５】
（剥離紙）
接着剤１７を保護する剥離紙１８には、市販の紙又はプラスチックフィルムに剥離処理を施したものを使用する。
【符号の説明】
【００３６】
１０  スクラッチシール
１１  第一の基材
１２  第二の基材        
１３  インキ層
１４  スクラッチ層
１５  接着層
１６  擬似接着層
１７  接着層
１８  剥離紙
Ｘ  折り線
【図１】
2014030997.tif 000003
【図２】
2014030997.tif 000004
【図３】
2014030997.tif 000005
【図４】
2014030997.tif 000006
【図５】
2014030997.tif 000007
【図６】
2014030997.tif 000008